【手続補正書】
【提出日】平成15年8月8日(2003.8.8)
【手続補正１】
【補正対象書類名】明細書
【補正対象項目名】発明の名称
【補正方法】変更
【補正の内容】
【発明の名称】遊技システム
【手続補正２】
【補正対象書類名】明細書
【補正対象項目名】特許請求の範囲
【補正方法】変更
【補正の内容】
【特許請求の範囲】
【請求項１】
遊技領域に複数の入賞口が設けられ、前記入賞口に遊技球が入賞したことに基づき所定の賞球を排出する排出装置を備える遊技機と、
前記１つの遊技機に対して１つずつ設けられるとともに報知用表示装置を備えた中継装置と、
前記中継装置と通信可能に設けられた管理装置と、
からなる遊技システムにおいて、
前記遊技機は、
前記入賞口への遊技球の入賞に関する入賞データを外部に出力する入賞データ外部出力手段と、
前記排出装置による賞球の排出回数に関する払い出し回数データを外部に出力可能な排出データ外部出力手段と、
を備え、
前記中継装置は、
前記入賞データと前記払い出し回数データとが入力されるように構成され、
前記入賞データを計数して得られる入賞回数データと、前記払い出し回数データとの整合性の判定を所定時間毎に行い、整合のとれない状態が所定時間経過した場合に異常と判定する整合性判定手段を備え、
前記整合性判定手段により異常と判定された場合に、前記報知用表示装置にて異常報知を行うとともに、前記管理装置に対して異常データを出力するようにしたことを特徴とする遊技システム。
【手続補正３】
【補正対象書類名】明細書
【補正対象項目名】０００１
【補正方法】変更
【補正の内容】
【０００１】
【発明の属する技術分野】
本発明は、遊技領域に複数の入賞口が設けられ、該入賞口に遊技球が入賞したことに基づき所定の賞球を排出する排出装置を備える遊技機と、前記１つの遊技機に対して１つずつ設けられるとともに報知用表示装置を備えた中継装置と、該中継装置と通信可能に設けられた管理装置と、からなる遊技システムに関する。


【手続補正４】
【補正対象書類名】明細書
【補正対象項目名】０００４
【補正方法】変更
【補正の内容】
【０００４】
この発明は、上記のような問題点を解決するためになされたもので、入賞球があったことに対応して、確実に排出装置により球が排出されていることを確認することを可能とする遊技機を含む遊技システムを提供することを目的とする。


【手続補正５】
【補正対象書類名】明細書
【補正対象項目名】０００５
【補正方法】変更
【補正の内容】
【０００５】
【課題を解決するための手段】
上記課題を解決するため、
請求項１記載の発明は、遊技領域に複数の入賞口が設けられ、前記入賞口に遊技球が入賞したことに基づき所定の賞球を排出する排出装置を備える遊技機と、
前記１つの遊技機に対して１つずつ設けられるとともに報知用表示装置を備えた中継装置と、
前記中継装置と通信可能に設けられた管理装置と、
からなる遊技システムにおいて、
前記遊技機は、
前記入賞口への遊技球の入賞に関する入賞データを外部に出力する入賞データ外部出力手段と、
前記排出装置による賞球の排出回数に関する払い出し回数データを外部に出力可能な排出データ外部出力手段と、
を備え、
前記中継装置は、
前記入賞データと前記払い出し回数データとが入力されるように構成され、
前記入賞データを計数して得られる入賞回数データと、前記払い出し回数データとの整合性の判定を所定時間毎に行い、整合のとれない状態が所定時間経過した場合に異常と判定する整合性判定手段を備え、
前記整合性判定手段により異常と判定された場合に、前記報知用表示装置にて異常報知を行うとともに、前記管理装置に対して異常データを出力するようにしたことを特徴としている。


【手続補正６】
【補正対象書類名】明細書
【補正対象項目名】０００６
【補正方法】変更
【補正の内容】
【０００６】
この請求項１記載の発明によれば、遊技球の入賞口への入賞に関する入賞データを外部に出力可能な入賞データ外部出力手段と、排出装置による賞球払い出し回数に関する払い出し回数データを外部に出力可能な排出データ外部出力手段と、を備え、中継装置の整合性判定手段が、前記入賞データを計数して得られる入賞回数データと、払い出し回数データとの整合性の判定を所定時間毎に行い、整合のとれない状態が所定時間経過した場合に異常と判定して、報知用表示装置にて異常報知を行うとともに、管理装置に対して異常データを出力するようにしたので、例えば、入賞データが示す遊技球の入賞口への入賞回数よりも、払い出し回数データが示す払い出し回数が少ないような場合に、排出装置により正しく排出が行われていないことを判定でき、容易に異常を発見することができるし、異常が発生したことを遊技店の店員も素早く認識できる。また、管理装置では、各中継装置から異常データを取得するのみであり、管理装置で各遊技機の払い出し回数データや入賞データを取得して整合性の判定を行ったりする必要がない。これにより、管理装置と遊技機との通信が混雑を抑えることができるとともに、管理装置の処理負担を軽減できる。


【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１８
【補正方法】変更
【補正の内容】
【００１８】
本発明を構成するパチンコ遊技機１００は、例えば、図６に示すように、排出装置による賞球払い出し回数に関する払い出し回数データを外部に出力可能な排出データ外部出力手段６５２と、遊技球の入賞口８，９，５ｂへの入賞に関する入賞データを外部に出力可能な入賞データ外部出力手段６５１とを備えることにより、各データを取得可能な中継装置６００で、払い出し回数データと入賞データとの整合性の判定を行うことができるようにし、これにより、排出装置により正しく排出が行われているかどうかを判定して、排出の異常があった場合に、容易にこれを発見できるようにしたことを主な特徴としている。


【手続補正１７】
【補正対象書類名】明細書
【補正対象項目名】００２４
【補正方法】変更
【補正の内容】
【００２４】
さらに、パチンコ遊技機１００の上方には、本発明を構成する中継装置６００が設けられている。この中継装置６００は、１つのパチンコ遊技機１００に対応して１台ずつ設けられているものである。
この中継装置６００は、データスイッチ６０２、例えば、７セグメント型のＬＥＤなどにより構成されたデータ表示装置６０３、店員を呼び出すために押圧操作される呼び出しスイッチ６０４、異常報知（詳細は後述）を行うための報知用表示装置６０１，６０５などを備えている。
このうち、データスイッチ６０２を押圧操作することで、データ表示装置６０３にて、当該パチンコ遊技機１００についての、例えば、大当り回数や、特図変動表示遊技の回数といったデータが表示されるようになっている。


【手続補正１８】
【補正対象書類名】明細書
【補正対象項目名】００４４
【補正方法】変更
【補正の内容】
【００４４】
なお、本発明を構成する遊技機は、この実施の形態のパチンコ遊技機に限られるものではなく、例えば、その他のパチンコ遊技機、アレンジボール遊技機、雀球遊技機などの弾球遊技機等にも適用可能である。
さらに、上記の実施の形態例で、入賞球集合部材６３０により、遊技球を１条にして流下させ、この状態で、球検出センサ６３０ａにより遊技球を検出させる構成としたが、入賞口８、９、５ｂに入賞した遊技球を、ある程度まとめた状態にして球検出センサ６３０ａにより個々検出できる構成であれば良く、１条に限らず複数条にして検出する構成としても良い。この場合、球検出センサ６３０ａの数も、複数個であってよい。
また、球検出手段６３０ａによる検出信号を、入賞データ外部出力手段６５１を介して、入賞データとして出力する構成としたが、球検出手段６３０ａによる検出信号を、入賞データとして、中継装置６００に対し（入賞データ外部出力手段６５１を介さずに）直接出力する構成としても良い。
加えて、入賞球集合部材６３０は、遊技盤１の裏面に取付けられていても良いし、パチンコ遊技機１００の枠側の裏面に取付けられていても良い。つまり、遊技盤１の裏面側とは、遊技盤１の裏面や、その周辺部を含むものであるとする。


【手続補正１９】
【補正対象書類名】明細書
【補正対象項目名】００４６
【補正方法】変更
【補正の内容】
【００４６】
【発明の効果】
請求項１記載の発明に係る遊技機によれば、遊技球の入賞口への入賞に関する入賞データを外部に出力可能な入賞データ外部出力手段と、排出装置による賞球払い出し回数に関する払い出し回数データを外部に出力可能な排出データ外部出力手段と、を備え、中継装置の整合性判定手段が、前記入賞データを計数して得られる入賞回数データと、払い出し回数データとの整合性の判定を所定時間毎に行い、整合のとれない状態が所定時間経過した場合に異常と判定して、報知用表示装置にて異常報知を行うとともに、管理装置に対して異常データを出力するようにしたので、例えば、入賞データが示す遊技球の入賞口への入賞回数よりも、払い出し回数データが示す払い出し回数が少ないような場合に、排出装置により正しく排出が行われていないことを判定でき、容易に異常を発見することができるし、異常が発生したことを遊技店の店員も素早く認識できる。また、管理装置では、各中継装置から異常データを取得するのみであり、管理装置で各遊技機の払い出し回数データや入賞データを取得して整合性の判定を行ったりする必要がない。これにより、管理装置と遊技機との通信が混雑を抑えることができるとともに、管理装置の処理負担を軽減できる。


【手続補正２０】
【補正対象書類名】明細書
【補正対象項目名】００４７
【補正方法】削除
【補正の内容】
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】図面の簡単な説明
【補正方法】変更
【補正の内容】
【図面の簡単な説明】
【図１】本発明を構成する遊技機として例示するパチンコ遊技機を示す正面図である。
【図２】パチンコ遊技機の背面図である。
【図３】遊技盤の裏面図である。
【図４】各制御装置を取り外した状態におけるパチンコ遊技機の背面図である。
【図５】図４のI−I矢視断面図である。
【図６】パチンコ遊技機と中継装置と管理装置におけるデータの授受を示すブロック図である。
【符号の説明】
１ 遊技盤
１ａ 遊技領域
５ｂ 大入賞口（入賞口）
５ｄ アタッカー継続スイッチ（入賞球検出手段）
８ 一般入賞口（入賞口）
８ａ 入賞口スイッチ（入賞球検出手段）
９ 普通変動入賞装置（入賞口）
９ｂ 特図始動スイッチ（入賞球検出手段）
２０ 遊技制御装置
３０ 排出制御装置（排出装置を構成する）
８１ 枠用外部出力端子板（排出データ外部出力手段、入賞データ外部出力手段を構成する）
６３０ 入賞球集合部材
６３０ａ 球検出センサ（球検出手段）
６５１ 入賞データ外部出力手段
６５２ 排出データ外部出力手段
１００ パチンコ遊技機（遊技機）
６００ 中継装置
７００ 管理装置
８００ 遊技システム
８８ 遊技盤用外部出力端子板（入賞データ外部出力手段を構成する）